(57)【要約】【課題】発信者が着信者に聴いて欲しい曲や見てほしい画像があるときに、着信者に送付し、着信者は、この曲や画像を聴いたり見たりすることができる。【解決手段】発信側端末１により、マルチメディアデータを送り先の着信側端末２を指定して送信し、網３により、発信側端末１よりマルチメディアデータを受け、発信側端末１により指定された着信側端末２にこのマルチメディアデータを送信することを示す通知を送信し、着信側端末２よりこのマルチメディアデータの送信の依頼を受け、このマルチメディアデータを着信側端末２に送信し、着信側端末２は、網３よりマルチメディアデータを送信することを示す通知を受け、マルチメディアデータの送信の依頼を網３に出力し、網３よりマルチメディアデータを受けて再生する。【選択図】　　　図１
2004120232.tif 000002
【特許請求の範囲】
【請求項１】
マルチメディアデータを送り先の着信側端末を指定して送信する発信側端末と、
前記発信側端末より前記マルチメディアデータを受け、前記発信側端末により指定された前記着信側端末に前記マルチメディアデータを送信することを示す通知を送信し、前記着信側端末より前記マルチメディアデータの送信の依頼を受け、前記マルチメディアデータを前記着信側端末に送信する網と、
前記網より前記マルチメディアデータを送信することを示す通知を受け、前記マルチメディアデータの送信の依頼を前記網に出力し、前記網より前記マルチメディアデータを受けて再生する前記着信側端末と、
を備えたことを特徴とするマルチメディアデータの送信・再生システム。
【請求項２】
マルチメディアデータの指定とこのマルチメディアデータの送り先の着信側端末の指定とを送信する発信側端末と、
前記発信側端末より前記マルチメディアデータの指定と前記着信側端末の指定とを受け、この指定された前記マルチメディアデータを送信することを示す通知を前記指定された前記着信側端末に送信し、この着信側端末より前記マルチメディアデータの送信の依頼を受け、前記発信側端末より指定された前記マルチメディアデータを予め保有する複数のマルチメディアデータの中から取り出しこの取り出したマルチメディアデータを前記着信側端末に送信する網と、
前記網より前記マルチメディアデータを送信することを示す通知を受け、前記マルチメディアデータの送信の依頼を前記網に出力し、前記網より前記マルチメディアデータを受けて再生する前記着信側端末と、
を備えたことを特徴とするマルチメディアデータの送信・再生システム。
【請求項３】
マルチメディアデータの指定とこのマルチメディアデータの送り先の着信側端末の指定とを送信する発信側端末と、
前記発信側端末より前記マルチメディアデータの指定と前記着信側端末の指定とを受け、この指定された前記マルチメディアデータを予め保有する複数のマルチメディアデータの中から取り出しこの取り出したマルチメディアデータを送信することを示す通知を前記指定された前記着信側端末に送信し、前記着信側端末より前記マルチメディアデータの送信の依頼を受け、前記マルチメディアデータを前記着信側端末に送信する網と、
前記網より前記マルチメディアデータを送信することを示す通知を受け、前記マルチメディアデータの送信の依頼を前記網に出力し、前記網より前記マルチメディアデータを受けて再生する前記着信側端末と、
を備えたことを特徴とするマルチメディアデータの送信・再生システム。
【請求項４】
前記網は、前記着信側端末に前記マルチメディアデータをストリームデータにして送信し、
前記着信側端末は、前記マルチメディアデータを前記ストリームデータとして前記網より受け、このストリームデータを受けながら再生することを特徴とする請求項１、２又は３記載のマルチメディアデータの送信・再生システム。
【請求項５】
前記マルチメディアデータは、曲データ、静止画像、動画画像、前記曲データと前記静止画像とを組み合わせたデータ及び前記曲データと前記動画画像とを組み合わせたデータを含むことを特徴とする請求項１、２、３又は４記載のマルチメディアデータの送信・再生システム。
【請求項６】
発信側端末により、マルチメディアデータを送り先の着信側端末を指定して送信する第１のステップと、
網により、前記第１のステップで送信された前記マルチメディアデータを受け、このマルチメディアデータを送信することを示す通知を前記第１のステップで指定された前記着信側端末に送信する第２のステップと、
着信側端末により、前記第２のステップで送信された前記マルチメディアデータを送信することを示す通知を受け、前記マルチメディアデータの送信の依頼を前記網に出力する第３のステップと、
網により、前記第３のステップで出力された前記マルチメディアデータの送信の依頼を受け、前記マルチメディアデータを前記着信側端末に送信する第４のステップと、
着信側端末により、前記第４のステップで送信された前記マルチメディアデータを受けて再生する第５のステップと、
を含むことを特徴とするマルチメディアデータの送信・再生方法。
【請求項７】
発信側端末により、マルチメディアデータの指定とこのマルチメディアデータの送り先の着信側端末の指定とを送信する第１のステップと、網により、前記第１のステップで送信された前記マルチメディアデータの指定と前記着信側端末の指定とを受け、この指定された前記マルチメディアデータを送信することを示す通知を前記指定された前記着信側端末に送信する第２のステップと、
前記着信側端末により、前記第２のステップで送信された前記マルチメディアデータを送信することを示す通知を受け、前記マルチメディアデータの送信の依頼を前記網に出力する第３のステップと、
前記網により、前記第３のステップで出力された前記マルチメディアデータの送信の依頼を受け、前記第２のステップで受けて指定された前記マルチメディアデータを予め保有する複数のマルチメディアデータの中から取り出しこの取り出した前記マルチメディアデータを前記着信側端末に送信する第４のステップと、前記着信側端末により、前記第４のステップで送信された前記マルチメディアデータを受けて再生する第５のステップと、
を含むことを特徴とするマルチメディアデータの送信・再生方法。
【請求項８】
発信側端末により、マルチメディアデータの指定とこのマルチメディアデータの送り先の着信側端末の指定とを送信する第１のステップと、網により、前記第１のステップで送信された前記マルチメディアデータの指定と前記着信側端末の指定とを受け、この指定された前記マルチメディアデータを予め保有する複数のマルチメディアデータの中から取り出しこの取り出したマルチメディアデータを送信することを示す通知を前記指定された前記着信側端末に送信する第２のステップと、
前記着信側端末により、前記第２のステップで送信された前記マルチメディアデータを送信することを示す通知を受け、前記マルチメディアデータの送信の依頼を前記網に出力する第３のステップと、
前記網により、前記第３のステップで出力された前記マルチメディアデータの送信の依頼を受け、前記マルチメディアデータを前記着信側端末に送信する第４のステップと、
前記着信側端末により、前記第４のステップで送信された前記マルチメディアデータを受けて再生する第５のステップと、
を含むことを特徴とするマルチメディアデータの送信・再生方法。
【請求項９】
前記網により、前記着信側端末に前記マルチメディアデータをストリームデータにして送信する前記第４のステップと、
前記着信側端末により、前記マルチメディアデータを前記ストリームデータとして前記網より受け、このストリームデータを受けながら再生する前記第５のステップと、
を含むことを特徴とする請求項６、７又は８記載のマルチメディアデータの送信・再生方法。
【請求項１０】
前記マルチメディアデータは、曲データ、静止画像、動画画像、前記曲データと前記静止画像とを組み合わせたデータ及び前記曲データと前記動画画像とを組み合わせたデータを含むことを特徴とする請求項６、７、８又は９記載のマルチメディアデータの送信・再生方法。
【発明の詳細な説明】
【０００１】
【発明の属する技術分野】
本発明はマルチメディアデータの送信・再生システム及び方法に関し、特に発信側端末が指定したマルチメディアデータを着信側端末に送信するマルチメディアデータの送信・再生システム及び方法に関する。
【０００２】
【従来の技術】
従来の、この種のマルチメディアデータの送信・再生システムは、例えば、特許文献１に開示されているように、発信側携帯電話機が、着信通知用マルチメディアデータ（画像データや音データ）を呼設定メッセージに付帯させて発呼し、着信側携帯電話機により、着呼時に受信された呼設定メッセージからマルチメディアデータを抽出してこのマルチメディアデータにより着信を通知している。
【０００３】
【特許文献１】
特開２００２−６４６５８号公報（第７−８頁、図４）
【０００４】
【発明が解決しようとする課題】
上述した従来のマルチメディアデータの送信・再生システムは、発信側携帯電話機が発呼時に呼設定メッセージに付帯させたマルチメディアデータを、着信側携帯電話機が着呼時に受信しこの受信したマルチメディアデータを着信の通知用として使用しているため、発信者は着信者に聴いて欲しい曲や見てほしい動画等の画像があっても、この曲や画像を着信用データとしてのみしか着信者に送付できないので、着信者は、この曲や画像により着呼を認識することはできてもこの曲や画像をゆっくり聴いたり見たりする余裕がないという問題がある。
【０００５】
本発明の目的はこのような従来の欠点を除去するため、発信者が着信者に聴いて欲しい曲や見てほしい画像があるときに、この曲や画像を着信者に送付し、着信者は、この曲や画像をゆっくり聴いたり見たりすることができるマルチメディアデータの送信・再生システムを提供することにある。
【０００６】
【課題を解決するための手段】
本発明の第１のマルチメディアデータの送信・再生システムは、マルチメディアデータを送り先の着信側端末を指定して送信する発信側端末と、
前記発信側端末より前記マルチメディアデータを受け、前記発信側端末により指定された前記着信側端末に前記マルチメディアデータを送信することを示す通知を送信し、前記着信側端末より前記マルチメディアデータの送信の依頼を受け、前記マルチメディアデータを前記着信側端末に送信する網と、
前記網より前記マルチメディアデータを送信することを示す通知を受け、前記マルチメディアデータの送信の依頼を前記網に出力し、前記網より前記マルチメディアデータを受けて再生する前記着信側端末と、
を備えて構成されている。
【０００７】
本発明の第２のマルチメディアデータの送信・再生システムは、マルチメディアデータの指定とこのマルチメディアデータの送り先の着信側端末の指定とを送信する発信側端末と、
前記発信側端末より前記マルチメディアデータの指定と前記着信側端末の指定とを受け、この指定された前記マルチメディアデータを送信することを示す通知を前記指定された前記着信側端末に送信し、この着信側端末より前記マルチメディアデータの送信の依頼を受け、前記発信側端末より指定された前記マルチメディアデータを予め保有する複数のマルチメディアデータの中から取り出しこの取り出したマルチメディアデータを前記着信側端末に送信する網と、
前記網より前記マルチメディアデータを送信することを示す通知を受け、前記マルチメディアデータの送信の依頼を前記網に出力し、前記網より前記マルチメディアデータを受けて再生する前記着信側端末と、
を備えて構成されている。
【０００８】
また、本発明の第１と第２のマルチメディアデータの送信・再生システムにおいて、
前記網は、前記着信側端末に前記マルチメディアデータをストリームデータにして送信し、
前記着信側端末は、前記マルチメディアデータを前記ストリームデータとして前記網より受け、このストリームデータを受けながら再生するようにしている。
【０００９】
本発明の第１のマルチメディアデータの送信・再生方法は、発信側端末により、マルチメディアデータを送り先の着信側端末を指定して送信する第１のステップと、
網により、前記第１のステップで送信された前記マルチメディアデータを受け、このマルチメディアデータを送信することを示す通知を前記第１のステップで指定された前記着信側端末に送信する第２のステップと、
着信側端末により、前記第２のステップで送信された前記マルチメディアデータを送信することを示す通知を受け、前記マルチメディアデータの送信の依頼を前記網に出力する第３のステップと、
網により、前記第３のステップで出力された前記マルチメディアデータの送信の依頼を受け、前記マルチメディアデータを前記着信側端末に送信する第４のステップと、
着信側端末により、前記第４のステップで送信された前記マルチメディアデータを受けて再生する第５のステップと、
を含んで構成されている。
【００１０】
本発明の第２のマルチメディアデータの送信・再生方法は、発信側端末により、マルチメディアデータの指定とこのマルチメディアデータの送り先の着信側端末の指定とを送信する第１のステップと、
網により、前記第１のステップで送信された前記マルチメディアデータの指定と前記着信側端末の指定とを受け、この指定された前記マルチメディアデータを送信することを示す通知を前記指定された前記着信側端末に送信する第２のステップと、
前記着信側端末により、前記第２のステップで送信された前記マルチメディアデータを送信することを示す通知を受け、前記マルチメディアデータの送信の依頼を前記網に出力する第３のステップと、
前記網により、前記第３のステップで出力された前記マルチメディアデータの送信の依頼を受け、前記第２のステップで受けて指定された前記マルチメディアデータを予め保有する複数のマルチメディアデータの中から取り出しこの取り出した前記マルチメディアデータを前記着信側端末に送信する第４のステップと、前記着信側端末により、前記第４のステップで送信された前記マルチメディアデータを受けて再生する第５のステップと、
を含んで構成されている。
【００１１】
また、本発明の第１と第２のマルチメディアデータの送信・再生方法は、前記網により、前記着信側端末に前記マルチメディアデータをストリームデータにして送信する前記第４のステップと、
前記着信側端末により、前記マルチメディアデータを前記ストリームデータとして前記網より受け、このストリームデータを受けながら再生する前記第５のステップと、
を含んで構成されている。
【００１２】
【発明の実施の形態】
次に、本発明の実施の形態について図面を参照して説明する。
【００１３】
図１は、本発明のマルチメディアデータの送信・再生システムの第１の実施の形態を示すブロック図である。
【００１４】
図１に示す本実施の形態は、携帯電話等の発信側端末１と、網３と、携帯電話等の着信側端末２とにより構成する。
【００１５】
発信側端末１は、発信側端末１が予め保有するマルチメディアデータを送り先の着信側端末２を指定して送信する。
【００１６】
網３は、発信側端末１よりマルチメディアデータを受け、発信側端末１により指定された着信側端末２にこのマルチメディアデータを送信することを示す通知を送信し、着信側端末２よりこのマルチメディアデータの送信の依頼を受け、このマルチメディアデータを着信側端末２に送信する。
【００１７】
着信側端末２は、網３よりマルチメディアデータを送信することを示す通知を受け、マルチメディアデータの送信の依頼を網３に出力し、網３よりマルチメディアデータを受けて再生する。
【００１８】
マルチメディアデータとは、曲データ、静止画像、動画画像、曲データと静止画像とを組み合わせたデータ及び曲データと動画画像とを組み合わせたデータを含む。
【００１９】
次に、本実施の形態のマルチメディアデータの送信・再生システムの動作を図２及び図３を参照して詳細に説明する。
【００２０】
図２は、本発明の実施の形態の動作の一例を示し、本発明のマルチメディアデータの送信・再生方法の一例を示すフローチャートである。
【００２１】
図３は、着信側端末の動作の一例を示すフローチャートである。
【００２２】
図１において、図２のステップ２１では、発信側端末１により、発信側端末１が予め保有するマルチメディアデータを送り先の着信側端末２を指定して網３に送信する。
【００２３】
ステップ２２では、網３により、ステップ２１で送信されたマルチメディアデータを受け、このマルチメディアデータを送信することを示す通知をステップ２１で指定された着信側端末２に送信する。
【００２４】
ステップ２３では、着信側端末２により、ステップ２２で送信されたマルチメディアデータを送信することを示す通知を受け、マルチメディアデータの送信の依頼を網３に出力する。
【００２５】
ステップ２４では、網３により、ステップ２３で出力されたマルチメディアデータの送信の依頼を受け、ステップ２２で受けたマルチメディアデータを着信側端末２に送信する。マルチメディアデータをストリームデータにして送信しても良い。
【００２６】
ステップ２５では、着信側端末２により、ステップ２４で送信されたマルチメディアデータを受けて再生する。マルチメディアデータがストリームデータのときには、このストリームデータを受けながら再生する。
【００２７】
図２のステップ２３とステップ２５とで示した、着信側端末２の動作を更に詳細に説明する。
【００２８】
図３において、ステップ３１では、図２のステップ２３での「マルチメディアデータを送信することを示す通知」を示す受信データを受け、この受信データのヘッダにこのデータがマルチメディアデータであることを示す情報があるか否かを調べ、調べた結果があることを示すときには、ステップ３２へ進む。無いときには、この受信データ処理動作を終了する。
【００２９】
ステップ３２では、マルチメディアデータの送信の依頼を網３に出力する。
【００３０】
ステップ３３では、網３からマルチメディアデータを含む受信データを受ける。
【００３１】
ステップ３４では、ステップ３３で受けた受信データのヘッダを調べこのデータにストリーム用のデータが含まれているか否かを調査し、調査した結果がストリーム用のデータが含まれていることを示すときにはステップ３５へ進む。調査した結果がストリーム用のデータが含まれていないことを示すときにはステップ３８へ進む。
【００３２】
ステップ３５では、ステップ３３で受けた受信データに含まれるストリームデータを再生しステップ３６へ進む。
【００３３】
ステップ３６では、ステップ３３で受けた受信データのヘッダを見てすべてのデータをダウンロードしたか否かを調べ、すべてのデータをダウンロードしていないときにはステップ３７へ進み、すべてのデータをダウンロードしたときには終了する。
【００３４】
ステップ３７では、網３から次の受信データを受け、ステップ３５へ進む。
【００３５】
一方、ステップ３８では、ステップ３３で受けた受信データのヘッダを見てすべてのデータをダウンロードしたか否かを調べ、すべてのデータをダウンロードしていないときにはステップ３９へ進み、すべてのデータをダウンロードしたときには終了する。
【００３６】
ステップ３９では、網３から次の受信データを受け、ステップ３８へ進む。
【００３７】
着信側端末２は、網３から受信したマルチメディアデータを受信する毎にメモリ（外部メモリ、ＲＡＭ等の内部メモリ）に格納しても良い。このようにすると、着信側端末２のユーザは、マルチメディアデータを受信した後に任意の時間に再生できる。また、このマルチメディアデータを着信通知用に使用することもできる。
【００３８】
図４は、本発明のマルチメディアデータの送信・再生システムの第２の実施の形態を示すブロック図である。
【００３９】
図４に示す本実施の形態は、携帯電話等の発信側端末４と、網５と、携帯電話等の着信側端末２とにより構成する。
【００４０】
発信側端末４は、マルチメディアデータの指定とこのマルチメディアデータの送り先の着信側端末２の指定とを送信する。
【００４１】
網５は、発信側端末４よりマルチメディアデータの指定と着信側端末２の指定とを受け、この指定されたマルチメディアデータを送信することを示す通知を指定された着信側端末２に送信し、この着信側端末２よりマルチメディアデータの送信の依頼を受け、発信側端末４より指定されたマルチメディアデータを着信側端末２に送信する。
【００４２】
着信側端末２は、網５よりマルチメディアデータを送信することを示す通知を受け、マルチメディアデータの送信の依頼を網５に出力し、網５よりマルチメディアデータを受けて再生する。
【００４３】
次に、本実施の形態のマルチメディアデータの送信・再生システムの動作を図５を参照して詳細に説明する。
【００４４】
図５は、本発明の実施の形態の動作の一例を示し、本発明のマルチメディアデータの送信・再生方法の一例を示すフローチャートである。
【００４５】
図４において、図５のステップ５１では、発信側端末４により、予め網５の保有するマルチメディアデータの指定とこのマルチメディアデータの送り先の着信側端末２の指定とを網５に送信する。網５の保有するマルチメディアデータは、発信側端末４が予め網５に送信して網５に登録したり、網５の管理者が予め登録したりしておく。
【００４６】
ステップ５２では、網５により、ステップ５１で送信されたマルチメディアデータの指定と着信側端末２の指定とを受け、この指定されたマルチメディアデータを送信することを示す通知を指定された着信側端末２に送信する。
【００４７】
ステップ５３では、着信側端末２により、ステップ５２で送信されたマルチメディアデータを送信することを示す通知を受け、マルチメディアデータの送信の依頼を網５に出力する。
【００４８】
ステップ５４では、網５により、ステップ５３で出力されたマルチメディアデータの送信の依頼を受け、ステップ５２で受けて指定されたマルチメディアデータを予め保有する複数のマルチメディアデータの中から取り出しこの取り出したマルチメディアデータを着信側端末２に送信する。マルチメディアデータをストリームデータにして送信しても良い。
【００４９】
ステップ５５では、着信側端末２により、ステップ５４で送信されたマルチメディアデータを受けて再生する。マルチメディアデータがストリームデータのときには、このストリームデータを受けながら再生する。
【００５０】
上記ステップ５２とステップ５４とを次のようにしても良い。
【００５１】
ステップ５２では、網５により、ステップ５１で送信されたマルチメディアデータの指定と着信側端末２の指定とを受け、この指定されたマルチメディアデータを予め保有する複数のマルチメディアデータの中から取り出しこの取り出したマルチメディアデータを送信することを示す通知を指定された着信側端末２に送信する。
【００５２】
ステップ５４では、網５により、ステップ５３で出力されたマルチメディアデータの送信の依頼を受け、マルチメディアデータを着信側端末２に送信する。
【００５３】
上記ステップ５３とステップ５５とで示した着信側端末２の動作は、第１の実施の形態で説明した図３で示す動作と同じである。但し、第２の実施の形態では、着信側端末２の送受信する相手は網３ではなく網５である。
【００５４】
以上説明した、第１の実施の形態と第２の実施の形態において、マルチメディアデータがストリームデータのときには、着信側端末２のユーザは、マルチメディアデータを受信しながら聴いたり見たりすることができる。また、マルチメディアデータを格納する必要がないので着信側端末２のメモリの容量を気にすることなく全データをダウンロードするまで再生できる。
【００５５】
【発明の効果】
以上説明したように、本発明のマルチメディアデータの送信・再生システムによれば、発信側端末により、マルチメディアデータを送り先の着信側端末を指定して送信し、網により、発信側端末よりマルチメディアデータを受け、発信側端末により指定された着信側端末にこのマルチメディアデータを送信することを示す通知を送信し、着信側端末よりこのマルチメディアデータの送信の依頼を受け、このマルチメディアデータを着信側端末に送信し、着信側端末は、網よりマルチメディアデータを送信することを示す通知を受け、マルチメディアデータの送信の依頼を網に出力し、網よりマルチメディアデータを受けて再生するため、発信者が着信者に聴いて欲しい曲や見てほしい画像があるときに、この曲や画像を着信者に送付し、着信者は、この曲や画像を聴いたり見たりすることができる。
【００５６】
また、網は、着信側端末にマルチメディアデータをストリームデータにして送信し、着信側端末は、マルチメディアデータをストリームデータとして網より受け、このストリームデータを受けながら再生するため、マルチメディアデータがストリームデータのときには、着信側端末のユーザは、マルチメディアデータを受信しながら聴いたり見たりすることができる。また、マルチメディアデータを格納する必要がないので着信側端末のメモリの容量を気にすることなく全データをダウンロードするまで再生できる。
【図面の簡単な説明】
【図１】本発明のマルチメディアデータの送信・再生システムの第１の実施の形態を示すブロック図である。
【図２】本発明の実施の形態の動作の一例を示し、本発明のマルチメディアデータの送信・再生方法の一例を示すフローチャートである。
【図３】着信側端末の動作の一例を示すフローチャートである。
【図４】本発明のマルチメディアデータの送信・再生システムの第２の実施の形態を示すブロック図である。
【図５】本発明の実施の形態の動作の一例を示し、本発明のマルチメディアデータの送信・再生方法の一例を示すフローチャートである。
【符号の説明】
１　　発信側端末
２　　着信側端末
３　　網
４　　発信側端末
５　　網
【図１】
2004120232.tif 000003
【図２】
2004120232.tif 000004
【図３】
2004120232.tif 000005
【図４】
2004120232.tif 000006
【図５】
2004120232.tif 000007